(57)【要約】【課題】トイレ室内の取り付け壁面に足元照明装置を取り付ける場合、取り付けが容易であり、足元照明装置の内部の修理点検の際に、取り外しを容易に行なえる構造を有する足元照明装置を提供する。また、足元照明装置を取り付けた状態で、足元照明装置へ電源を供給するためのリード線が邪魔にならないように保持できるようにして、トイレ室の掃除などの際に、引っ掛かりが生じ難いようにリード線を保持できる機能を備えた足元照明装置を提供する。【解決手段】取り付け基板に設けた一対の支持リブに対して、足元照明本体のガイド部が案内しつつ足元照明本体を取り付け基板にスライドにて挿入することにより、一対の支持リブが足元照明本体の係止辺に侵入して係止される状態となり、更にスライドさせることにより、取り付け基板の係止突起が足元照明本体の係止部に侵入して、足元照明本体が取り付け基板に保持される状態となること。【選択図】図３
2010205596.tif 000002
【特許請求の範囲】
【請求項１】
収容した照明用光源の光にてトイレ室の足許を照明する足元照明本体と、トイレ室内の
取り付け壁面に前記足元照明本体を取り付けるための取り付け基板を備え、前記取り付け
基板の表側には、左右方向に延びた上下平行配置の一対の支持リブと、前記取り付け基板
の左右両端部のうちの一端部から他端部方向へ突出した係止突起とが形成され、前記足元
照明本体の裏側には、前記足元照明本体の左右両端部のうちの一端部に前記係止突起が侵
入して係止する係止部と、前記係止部側の一端部から他端部側へ向けて延び前記一対の支
持リブの案内となる上下平行配置のガイド部と、前記ガイド部の延長線上に前記一対の支
持リブが侵入して係止される上下平行配置の係止辺とが形成され、前記足元照明本体が前
記取り付け基板にスライドにて着脱可能に取り付けられることを特徴とするトイレ室の足
元照明装置。
【請求項２】
前記足元照明本体の側面には、前記照明用光源へＡＣ・ＤＣコンバータからの電源を供
給するためのリード線の一端に設けたコネクタが着脱自在に接続される差し込み口を備え
、前記足元照明本体の裏側の前記差し込み口側の上方の片隅を横切る位置に前記リード線
の一部が収容される収容溝が形成され、前記足元照明本体が前記取り付け基板に取り付け
られた状態で、前記収容溝に収容された前記リード線の部分が前記取り付け基板にて覆わ
れることを特徴とする請求項１に記載のトイレ室の足元照明装置。
【発明の詳細な説明】
【技術分野】
【０００１】
本発明は、夜間などにおけるトイレ室の足元照明装置に関し、特に、簡易な取り付け構
成を備えた足元照明装置に関する。
【背景技術】
【０００２】
夜間などにおいて、暗いトイレ室内に入るとき、トイレ室の天井に設置した電灯を点灯
すれば、その明かりによって目が覚めてしまい、その後の就寝に差し支え、また、その明
かりが周辺に漏れて、就寝中の他の人が目を覚ますことにもなるため、夜間のトイレの使
用に適した照明として、トイレ使用者の安全と快適性を考慮して、トイレ室の足元に向け
て光を照射する足元照明が採用されている。（例えば、特許文献１参照）。
【先行技術文献】
【特許文献】
【０００３】
【特許文献１】特開２００２−２６３０３６号公報
【発明の概要】
【発明が解決しようとする課題】
【０００４】
この特許文献１のものは、照明用ＬＥＤを収容した照明ユニット１が、キャビネット９
３の側壁にホルダ１０を介して取り付けられているが、この取り付けに係る具体的構造の
開示はない。この照明用ＬＥＤは、ＡＣ１００Ｖで駆動されるものを使用するために、照
明ユニット１から延びたリード線の先端にプラグ９を備えるが、照明ユニット１とリード
線の接続構造が不明であるため、リード線が引っ張られたときの安全性や、照明ユニット
１の修理点検の際に取り外すことを考慮した具体的構造の開示はない。
【０００５】
本発明では、トイレ室内の取り付け壁面に足元照明装置を取り付ける場合、取り付けが
容易であり、足元照明装置の内部の修理点検の際に、取り外しを容易に行なえる構造を有
する足元照明装置を提供する。また、足元照明装置を取り付けた状態で、足元照明装置へ
電源を供給するためのリード線が邪魔にならないように保持できるようにして、トイレ室
の掃除などの際に、引っ掛かりが生じ難いようにリード線を保持できる機能を備えた足元
照明装置を提供する。
【課題を解決するための手段】
【０００６】
第１発明は、収容した照明用光源の光にてトイレ室の足許を照明する足元照明本体と、
トイレ室内の取り付け壁面に前記足元照明本体を取り付けるための取り付け基板を備え、
前記取り付け基板の表側には、左右方向に延びた上下平行配置の一対の支持リブと、前記
取り付け基板の左右両端部のうちの一端部から他端部方向へ突出した係止突起とが形成さ
れ、前記足元照明本体の裏側には、前記足元照明本体の左右両端部のうちの一端部に前記
係止突起が侵入して係止する係止部と、前記係止部側の一端部から他端部側へ向けて延び
前記一対の支持リブの案内となる上下平行配置のガイド部と、前記ガイド部の延長線上に
前記一対の支持リブが侵入して係止される上下平行配置の係止辺とが形成され、前記足元
照明本体が前記取り付け基板にスライドにて着脱可能に取り付けられることを特徴とする
。
【０００７】
第２発明は、第１発明において、前記足元照明本体の側面には、前記照明用光源へＡＣ
・ＤＣコンバータからの電源を供給するためのリード線の一端に設けたコネクタが着脱自
在に接続される差し込み口を備え、前記足元照明本体の裏側の前記差し込み口側の上方の
片隅を横切る位置に前記リード線の一部が収容される収容溝が形成され、前記足元照明本
体が前記取り付け基板に取り付けられた状態で、前記収容溝に収容された前記リード線の
部分が前記取り付け基板にて覆われることを特徴とする。
【発明の効果】
【０００８】
本発明によって、前記取り付け基板に設けた一対の支持リブに対して、前記足元照明本
体のガイド部が案内しつつ前記足元照明本体を前記取り付け基板にスライドにて挿入する
ことにより、一対の支持リブが前記足元照明本体の係止辺に侵入して係止される状態とな
り、更にスライドさせることにより、前記取り付け基板の係止突起が前記足元照明本体の
係止部に侵入して、前記足元照明本体が前記取り付け基板に保持される状態となる。この
ように、前記足元照明本体は、前記取り付け基板にスライドにて挿入できるため操作がし
易く、そして、一対の支持リブが係止辺に侵入して係止されることにより、前記足元照明
本体が前記取り付け基板から脱落しないように保持される。更に、係止突起が係止部に侵
入することにより、前記取り付け基板に対して前記足元照明本体が所定位置に取り付けら
れることとなる。また、前記足元照明本体内の修理点検に際しては、この逆の操作によっ
て、前記取り付け基板から前記足元照明本体を容易に取り外すことができることとなる。
【０００９】
また、本発明では、照明用光源へ電源を供給するリード線の一部を収容溝に収容した状
態で、前記足元照明本体を前記取り付け基板にスライドにて取り付けることにより、収容
溝に収容されたリード線の部分が取り付け基板にて覆われ、収容溝に保持される状態とな
り、差し込み口にコネクタを差し込んだ状態で、リード線の一部が足元照明本体の下方へ
の無駄な弛みのない状態に保持できることとなる。この無駄な弛みがある場合には、その
部分が邪魔になり、掃除などの際にリード線に引っ掛けることによって、差し込み口から
コネクタが外れ、それに気づかない場合は、足元照明装置の機能が発揮できないこととな
るが、本発明ではそのようなことも解消される。
【００１０】
また、足元照明本体をスライドにて取り付け基板から取り外した後、差し込み口からコ
ネクタを引き抜けば、ＡＣ・ＤＣコンバータ２２が接続されていない状態で足元照明本体
を単独で持ち運びできるため、足元照明本体の修理点検などがし易くなる。
【図面の簡単な説明】
【００１１】
【図１】本発明に係る足元照明装置をトイレ室に取り付けた状態の斜視図である。
【図２】本発明に係る足元照明本体と取り付け基板の関係を表側から見た斜視図である。
【図３】本発明に係る足元照明本体と取り付け基板の関係を裏側から見た斜視図である。
【図４】本発明に係る足元照明本体と取り付け基板が組み合わさった状態での足元照明装置の裏側から見た斜視図である。
【図５】図４のＡ−Ａ部分の断面図である。
【図６】図４のＢ−Ｂ部分の断面図である。
【図７】図４のＣ−Ｃ部分の断面図である。
【図８】本発明に係る足元照明本体を取り付け基板に嵌め合わせスライドさせる初期の状態を裏側から見た組み合わせ図である。
【図９】本発明に係る足元照明本体を取り付け基板に嵌め合わせスライドさせて一対の支持リブが係止辺に係止した初期の状態を裏側から見た組み合わせ図である。
【図１０】本発明に係る足元照明本体を取り付け基板に嵌め合わせスライドさせた最終状態を裏側から見た組み合わせ図である。
【発明を実施するための形態】
【００１２】
［実施例１］
本発明の実施例を図に基づき説明すると、１は本発明に係るトイレ室２の足元照明装置
である。トイレ室２の床に洋式便器３が設置され、その上に温水洗浄便座４が取り付けら
れている。温水洗浄便座４は、本体ケース５と、本体ケース５内に収容した温水タンク（
図示せず）と、この温水タンクから供給される温水にておしりやビデを洗浄する洗浄ノズ
ル（図示せず）と、洋式便器３の上面に設置される便座６と、便座６の上面を覆う便蓋７
とを備え、便座６の後部と便蓋７の後部が本体ケース５内に設けたモータによって開閉可
能に支持された公知の構成である。前記温水タンク（図示せず）は、市水等の上水道管に
開閉弁を介して配管接続され、本体ケース５の側面側に設けたスイッチ操作部８のスイッ
チ操作によって、前記上水道管の水圧によって前記洗浄ノズル（図示せず）から温水が噴
出される公知の仕組みである。
【００１３】
足元照明装置１は、照明が下向きに行われるよう、トイレ室２内の取り付け壁面１０に
取り付けられて、トイレ室２に出入りする人の邪魔にならない状態で、トイレ室２に出入
りする人の足元を照明する位置に配置される。足元照明装置１を取り付けるトイレ室２内
の取り付け壁面１０としては、トイレ室２の側面の縦壁が適するが、トイレ室２に小物入
れ棚などが設置される場合は、その小物入れ棚などの縦壁が取り付け壁面１０となり、そ
こに照明が下向きに行われるよう取り付ければよい。足元照明装置１を取り付けた一例を
図１に示しており、図１において足元照明装置１は、トイレ室２内の取り付け壁面１０と
して、トイレ室２の側面の縦壁を利用して、トイレットペーパホルダ９の下側に取り付け
られている。
【００１４】
足元照明装置１は、収容した照明用光源１１の光にてトイレ室２の足許を照明する足元
照明本体１２と、トイレ室２内の取り付け壁面１０に足元照明本体１２を取り付けるため
の取り付け基板１３を備えている。取り付け基板１３の表側には、左右方向に延びた上下
平行配置の一対の支持リブ１４と、取り付け基板１３の左右両端部のうちの一端部（実施
例では左端部）から他端部（実施例では右端部）方向へ突出した係止突起１５とが形成さ
れている。係止突起１５は、一つでもよいが、後述のように足元照明本体１２を安定に保
持するために、実施例では、取り付け基板１３の表側へ立設した壁１３Ａから上下に配置
した構成を採用している。
【００１５】
足元照明本体１２の裏側には、足元照明本体１２の左右両端部のうちの一端部（実施例
では左端部）に係止突起１５が孔１６Ａから侵入して係止する係止部１６と、係止部１６
側の一端部（実施例では左端部）から他端部（実施例では右端部）側へ向けて延びて一対
の支持リブ１４の案内となる上下平行配置のガイド部１７と、ガイド部１７の延長線上に
一対の支持リブ１４が侵入して係止される上下平行配置の係止辺１８とが形成されている
。
【００１６】
足元照明本体１２は、主体部を構成するキャビネット１２Ａに、キャビネット１２Ａの
前面開口を塞ぐように表側の蓋１２Ｂが組み合わされて、表面視で横方向に長い矩形状を
なす直方体をなし、上記の構成部分がキャビネット１２Ａに一体成形された合成樹脂製で
ある。一方、取り付け基板１３は、表面視で横方向に長い矩形状をなし、上記の構成部分
が一体成形された合成樹脂製である。このため、足元照明本体１２には、係止辺１８を成
形するための孔１２Ｈが形成され、また、取り付け基板１３には、一対の支持リブ１４を
成形するための孔１３Ｈが形成されている。後述のように、足元照明本体１２は、取り付
け基板１３にスライドにて組み合わされて着脱可能に取り付けられるものであるため、こ
のスライドによる組み合わせがスムースにできるように、一対の支持リブ１４は、先端部
に曲線で屈曲した嵌合始端１４Ａを形成している。
【００１７】
足元照明本体１２の内部には、照明用光源１１としての２個のＬＥＤの取り付けと、そ
れの電気回路を形成した基板１９が取り付けられており、キャビネット１２Ａの底壁に光
窓２０が形成され、この光窓２０を塞ぐように透光板２１が取り付けられている。透光板
２１は、ＬＥＤ１１の光を拡散して足元照明本体１２の下方を照射するために、すりガラ
スや多数の凹凸をなすガラス等で形成され、照明用光源１１の２個のＬＥＤは、図２乃至
図４に示すようにこの光窓２０に対応して左右に配置されている。
【００１８】
また、足元照明本体１２の一方の側面（実施例では右側面）には、照明用光源１１へ電
源を供給するために、基板１９に電気的に接続された差し込み口２５を備えている。差し
込み口２５には、リード線２３の一端に設けたコネクタ２４（プラグ２４と称することも
できる）が着脱自在に接続され、リード線２３の他端にはＡＣ・ＤＣコンバータ（交流を
直流に変換する変換器）２２が接続されており、ＡＣ・ＤＣコンバータ２２から突出した
プラグ２２Ａを、トイレ室２内の壁に設けたＡＣ電源コンセント２６へ差し込むことによ
り、ＡＣ・ＤＣコンバータ２２は、ＡＣ電源コンセント２６に着脱自在に接続される。ま
た、足元照明本体１２の裏側の差し込み口２５側の上方の片隅を側面から上面にかけて横
切る位置に、リード線２３の一部が収容される収容溝２７が形成されている。
【００１９】
このような構成において、取り付け基板１３は、一対の支持リブ１４が表側で左右方向
に略水平状態となるように、取り付け孔２８を利用してネジ２９によって、トイレ室２内
の取り付け壁面１０に取り付けられる。この場合、図１では、取り付け壁面１０はトイレ
室２の左側壁であるため、後述のように差し込み口２５が奥側となるようにするために、
係止突起１５が手前側（図１で示すようにトイレ室２の入り口側となる位置）となるよう
に、取り付け基板１３を取り付ける。
【００２０】
差し込み口２５へコネクタ２４を差し込み、且つ、図８に示すようにリード線２３の一
部を収容溝２７にはめ込んだ状態で、上記のように取り付けられた取り付け基板１３に対
して、奥側から足元照明本体１２を嵌め合わせる。即ち、図８に示すように、上下平行配
置のガイド部１７の始端間に一対の支持リブ１４の嵌合始端１４Ａが入り込むように嵌め
合わせ、その状態で足元照明本体１２を取り付け基板１３に平行に手前側へスライドさせ
る。このスライドによって、図９に示すように、上下の嵌合始端１４Ａの裏側に上下平行
配置の係止辺１８が係合し、更に足元照明本体１２をスライドさせることによって、図１
０に示すように、係止突起１５が孔１６Ａから侵入して係止部１６に係止する。この状態
で、係止部１６の先端が係止突起１５の基部である壁１３Ａに当接し、または足元照明本
体１２の孔１６Ａ間の右側の一部１２Ｐが壁１３Ａに当接して、このスライドが終わり、
取り付け基板１３の所定位置に足元照明本体１２が取り付けられたこととなる。
【００２１】
なお、このスライドの終わりの時点で、取り付け基板１３の表側に形成した係合孔３０
に足元照明本体１２の裏側に形成した係合突起３１が嵌合するため、取り付け基板１３か
ら足元照明本体１２が外れ難い状態に保持される。取り付け基板１３に対して足元照明本
体１２をスライドさせるときに生じる相互の押し合い作用力によって、係合孔３０への係
合突起３１の嵌合が得られるものとなる。
【００２２】
この取り付けにより、光窓２０が下方に向いた状態で、取り付け基板１３に足元照明本
体１２が保持され、ＡＣ・ＤＣコンバータ２２をＡＣ電源コンセント２６に差し込むこと
により、リード線２３を通してＤＣ電力（直流電力）が供給され、ＬＥＤ１１の光にてト
イレ室２内の足元を照らす状態となる。この場合、トイレ室２内が明るい場合にもＬＥＤ
１１が発光状態になると不経済であるため、足元照明本体１２には、トイレ室２内の明る
さを検知する明るさセンサ３２を設け、トイレ室２内が所定の明るさ以下の場合にＬＥＤ
１１を発光状態とし、明るいときは不発光とする。この場合、トイレ室２内に人が入った
ことを人感センサ３３で検知したとき、またはトイレ室２のドアが開いたことをドアスイ
ッチ（図示せず）で検知したとき、明るさセンサ３２による検知によって、トイレ室２内
が所定の明るさ以下の場合にのみ、ＬＥＤ１１を発光状態とするように制御する。
【００２３】
また、上記のように取り付け基板１３への足元照明本体１２の取り付けにより、収容溝
２７に収容されたリード線２３の部分が取り付け基板１３にて覆われる状態となり、ＡＣ
・ＤＣコンバータ２２をＡＣ電源コンセント２６に差し込む際にリード線２３を引っ張っ
ても、差し込み口２５からコネクタ２４が外れることもなく、また、トイレ室２の掃除な
どの際に、足元照明本体１２とＡＣ・ＤＣコンバータ２２の間のリード線２３に引っ掛か
っても、差し込み口２５からコネクタ２４が外れることもない。
【００２４】
また、リード線２３は、収容溝２７から足元照明本体１２の上方へ延出するため、下方
へ延出する場合に比して、リード線２３が邪魔にならず、トイレ室２に出入りする人がリ
ード線２３に引っ掛かる支障も少なくなる。また、足元照明本体１２内の修理点検に際し
ては、上記とは逆の操作によって、係合孔３０から係合突起３１が外れるように、取り付
け基板１３から足元照明本体１２をスライドさせることによって、足元照明本体１２を容
易に取り外すことができることとなる。また、足元照明本体１２は、差し込み口２５から
コネクタ２４を引き抜けば、ＡＣ・ＤＣコンバータ２２が接続されていない状態で足元照
明本体１２を単独で持ち運びできるため、足元照明本体１２の修理点検などがし易くなる
。
【産業上の利用可能性】
【００２５】
本発明は、上記実施例に示した構成に限定されず、種々の形態のものに適用できるもの
であり、本発明の技術範囲において種々の形態を包含するものである。
【符号の説明】
【００２６】
１・・・・・足元照明装置
２・・・・・トイレ室
３・・・・・洋式便器
４・・・・・温水洗浄便座
５・・・・・本体ケース
６・・・・・便座
７・・・・・便蓋
８・・・・・スイッチ操作部
９・・・・・トイレットペーパホルダ
１０・・・・取り付け壁面
１１・・・・照明用光源
１２・・・・足元照明本体
１３・・・・取り付け基板
１４・・・・支持リブ
１５・・・・係止突起
１６・・・・係止部
１７・・・・ガイド部
１８・・・・係止辺
１９・・・・基板
２０・・・・光窓
２１・・・・透光板
２２・・・・ＡＣ・ＤＣコンバータ
２３・・・・リード線
２４・・・・コネクタ
２５・・・・差し込み口
２６・・・・ＡＣ電源コンセント
２７・・・・収容溝
３０・・・・係合孔
３１・・・・係合突起
３２・・・・明るさセンサ
３３・・・・人感センサ
【図１】
2010205596.tif 000003
【図２】
2010205596.tif 000004
【図３】
2010205596.tif 000005
【図４】
2010205596.tif 000006
【図５】
2010205596.tif 000007
【図６】
2010205596.tif 000008
【図７】
2010205596.tif 000009
【図８】
2010205596.tif 000010
【図９】
2010205596.tif 000011
【図１０】
2010205596.tif 000012